(57)【特許請求の範囲】
【請求項１】
第１のＵＥ（Ｕｓｅｒ  Ｅｑｕｉｐｍｅｎｔ）によるユニキャストリンク確立のための方法であって、
ユニキャストリンクまたはＰＣ５−ＲＲＣ（ＰＣ５−Ｒａｄｉｏ  Ｒｅｓｏｕｒｃｅ  Ｃｏｎｔｒｏｌ）接続の確立が開始されたことに応答して、ＰＣ５−Ｓメッセージ送信のための第１のサイドリンクＳＲＢ（Ｓｉｇｎａｌｉｎｇ  Ｒａｄｉｏ  Ｂｅａｒｅｒ）を確立することであって、前記第１のサイドリンクＳＲＢは、デフォルト宛先レイヤ２  アイデンティティ（ＩＤ）に関連付けられる、確立することと、
前記第１のＵＥのレイヤ２  ＩＤから導出された送信元レイヤ２  ＩＤと前記デフォルト宛先レイヤ２  ＩＤから導出された宛先レイヤ２  ＩＤを用いて、前記第１のサイドリンクＳＲＢ上で前記ユニキャストリンクまたは前記ＰＣ５−ＲＲＣ接続の確立のための第１のＰＣ５−Ｓメッセージを送信することと、
第２のＵＥから第２のＰＣ５−Ｓメッセージを受信することであって、前記第２のＰＣ５−Ｓメッセージは、前記第２のＵＥのレイヤ２  ＩＤから導出された送信元レイヤ２  ＩＤと前記第１のＵＥの前記レイヤ２  ＩＤから導出された宛先レイヤ２  ＩＤを用いて送信される、受信することと、
ＰＣ５−Ｓメッセージの受信および／または送信のための第２のサイドリンクＳＲＢを確立することであって、前記第２のサイドリンクＳＲＢは、前記第２のＵＥの前記レイヤ２  ＩＤに関連付けられる、確立することと、
前記ユニキャストリンクまたは前記ＰＣ５−ＲＲＣ接続の確立の完了に成功したことに応答して、ＰＣ５−ＲＲＣメッセージ送信のための第３のサイドリンクＳＲＢを確立することであって、前記第３のサイドリンクＳＲＢは、前記第２のＵＥの前記レイヤ２  ＩＤに関連付けられる、確立することと、を含む、方法。
【請求項２】
保護されたＰＣ５−Ｓメッセージ送信のための第４のサイドリンクＳＲＢを確立することであって、前記第４のサイドリンクＳＲＢは、前記第２のＵＥの前記レイヤ２  ＩＤに関連付けられる、確立することをさらに含む、請求項１に記載の方法。
【請求項３】
前記ユニキャストリンクまたは前記ＰＣ５−ＲＲＣ接続の確立が成功する前に、ＰＣ５−ＲＲＣメッセージ送信のためのいかなるサイドリンクＳＲＢも確立しないことをさらに含む、請求項１に記載の方法。
【請求項４】
前記第２のサイドリンクＳＲＢは、前記第１のＵＥの物理レイヤによる前記第２のＰＣ５−Ｓメッセージの受信に応答して確立される、請求項１に記載の方法。
【請求項５】
前記第１のサイドリンクＳＲＢおよび前記第２のサイドリンクＳＲＢを確立するために、ＲＲＣ仕様に規定された第１のＳＣＣＨ（Ｓｉｄｅｌｉｎｋ  Ｃｏｎｔｒｏｌ  Ｃｈａｎｎｅｌ）設定が使用される、請求項１に記載の方法。
【請求項６】
前記第３のサイドリンクＳＲＢを確立するために、ＲＲＣ仕様に規定された第２のＳＣＣＨ（Ｓｉｄｅｌｉｎｋ  Ｃｏｎｔｒｏｌ  Ｃｈａｎｎｅｌ）設定が使用される、請求項１に記載の方法。
【請求項７】
前記デフォルト宛先レイヤ２  ＩＤは、前記ユニキャストリンクまたは前記ＰＣ５−ＲＲＣ接続が確立されるサイドリンクサービスに関連付けられる、請求項１に記載の方法。
【請求項８】
前記第１のＰＣ５−Ｓメッセージは直接通信要求である、請求項１に記載の方法。
【請求項９】
前記第２のＰＣ５−Ｓメッセージはセキュリティ関連メッセージである、請求項１に記載の方法。
【請求項１０】
各サイドリンクＳＲＢはＳＣＣＨ（Ｓｉｄｅｌｉｎｋ  Ｃｏｎｔｒｏｌ  Ｃｈａｎｎｅｌ）に対応する、請求項１に記載の方法。
【請求項１１】
ユニキャストリンクを確立するための第１のＵＥ（Ｕｓｅｒ  Ｅｑｕｉｐｍｅｎｔ）は、
制御回路と、
前記制御回路に設けられたプロセッサと、
前記制御回路に設置され、前記プロセッサに動作可能に結合されたメモリと、を含み、
前記プロセッサは、前記メモリに記憶されたプログラムコードを実行して、
ユニキャストリンクまたはＰＣ５−ＲＲＣ（ＰＣ５−Ｒａｄｉｏ  Ｒｅｓｏｕｒｃｅ  Ｃｏｎｔｒｏｌ）接続の確立が開始されたことに応答して、ＰＣ５−Ｓメッセージ送信のための第１のサイドリンクＳＲＢ（Ｓｉｇｎａｌｉｎｇ  Ｒａｄｉｏ  Ｂｅａｒｅｒ）を確立することであって、前記第１のサイドリンクＳＲＢは、デフォルト宛先レイヤ２  アイデンティティ（ＩＤ）に関連付けられる、確立することと、
前記第１のＵＥのレイヤ２  ＩＤから導出された送信元レイヤ２  ＩＤと前記デフォルト宛先レイヤ２  ＩＤから導出された宛先レイヤ２  ＩＤを用いて、前記第１のサイドリンクＳＲＢ上で前記ユニキャストリンクまたは前記ＰＣ５−ＲＲＣ接続の確立のための第１のＰＣ５−Ｓメッセージを送信することと、
第２のＵＥから第２のＰＣ５−Ｓメッセージを受信することであって、前記第２のＰＣ５−Ｓメッセージは、前記第２のＵＥのレイヤ２  ＩＤから導出された送信元レイヤ２  ＩＤと前記第１のＵＥの前記レイヤ２  ＩＤから導出された宛先レイヤ２  ＩＤを用いて送信される、受信することと、
ＰＣ５−Ｓメッセージの受信および／または送信のための第２のサイドリンクＳＲＢを確立することであって、前記第２のサイドリンクＳＲＢは、前記第２のＵＥの前記レイヤ２  ＩＤに関連付けられる、確立することと、
前記ユニキャストリンクまたは前記ＰＣ５−ＲＲＣ接続の確立の完了に成功したことに応答して、ＰＣ５−ＲＲＣメッセージ送信のための第３のサイドリンクＳＲＢを確立することであって、前記第３のサイドリンクＳＲＢは、前記第２のＵＥの前記レイヤ２  ＩＤに関連付けられる、確立することと、を行うように構成されている、第１のＵＥ。
【請求項１２】
前記プロセッサは、前記メモリに記憶されたプログラムコードを実行して、
保護されたＰＣ５−Ｓメッセージ送信のための第４のサイドリンクＳＲＢを確立することであって、前記第４のサイドリンクＳＲＢは、前記第２のＵＥの前記レイヤ２  ＩＤに関連付けられる、確立することを行うようにさらに構成されている、請求項１１に記載の第１のＵＥ。
【請求項１３】
前記プロセッサは、前記メモリに記憶されたプログラムコードを実行して、
前記ユニキャストリンクまたは前記ＰＣ５−ＲＲＣ接続の確立が成功する前に、ＰＣ５−ＲＲＣメッセージ送信のためのいかなるサイドリンクＳＲＢも確立しないことを行うようにさらに構成されている、請求項１１に記載の第１のＵＥ。
【請求項１４】
前記第２のサイドリンクＳＲＢは、前記第１のＵＥの物理層による前記第２のＰＣ５−Ｓメッセージの受信に応答して確立される、請求項１１に記載の第１のＵＥ。
【請求項１５】
前記第１のサイドリンクＳＲＢおよび前記第２のサイドリンクＳＲＢを確立するために、ＲＲＣ仕様に規定された第１のＳＣＣＨ（Ｓｉｄｅｌｉｎｋ  Ｃｏｎｔｒｏｌ  Ｃｈａｎｎｅｌ）設定が使用される、請求項１１に記載の第１のＵＥ。
【請求項１６】
前記第３のサイドリンクＳＲＢを確立するために、ＲＲＣ仕様に規定された第２のＳＣＣＨ（Ｓｉｄｅｌｉｎｋ  Ｃｏｎｔｒｏｌ  Ｃｈａｎｎｅｌ）設定が使用される、請求項１１に記載の第１のＵＥ。
【請求項１７】
前記デフォルト宛先レイヤ２  ＩＤは、前記ユニキャストリンクまたは前記ＰＣ５−ＲＲＣ接続が確立されるサイドリンクサービスに関連付けられる、請求項１１に記載の第１のＵＥ。
【請求項１８】
前記第１のＰＣ５−Ｓメッセージは直接通信要求である、請求項１１に記載の第１のＵＥ。
【請求項１９】
前記第２のＰＣ５−Ｓメッセージはセキュリティ関連メッセージである、請求項１１に記載の第１のＵＥ。
【請求項２０】
各サイドリンクＳＲＢはＳＣＣＨ（Ｓｉｄｅｌｉｎｋ  Ｃｏｎｔｒｏｌ  Ｃｈａｎｎｅｌ）に対応する、請求項１１に記載の第１のＵＥ。
【発明の詳細な説明】
【技術分野】
【０００１】
本出願は、２０１９年１１月２６日に出願された米国仮特許出願第６２／９４０，４６０号の利益を主張し、その全開示は、参照によりその全体が本明細書に組み込まれる。
【０００２】
本開示は、一般に、無線通信ネットワークに関し、より詳細には、無線通信システムにおけるサイドリンクＳＲＢ確立のための方法および装置に関する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
ユニキャストリンクを確立するための第１のＵＥ（Ｕｓｅｒ  Ｅｑｕｉｐｍｅｎｔ）の観点から、方法および装置を開示する。一実施形態では、本方法は、第１のＵＥが、ユニキャストリンクまたはＰＣ５−ＲＲＣ（ＰＣ５−Ｒａｄｉｏ  Ｒｅｓｏｕｒｃｅ  Ｃｏｎｔｒｏｌ）接続確立が開始された場合、ＰＣ５−Ｓメッセージ送信のための第１のサイドリンクＳＲＢ（Ｓｉｇｎａｌｉｎｇ  Ｒａｄｉｏ  Ｂｅａｒｅｒ）を確立することであって、第１のサイドリンクＳＲＢは、デフォルト宛先レイヤ２  アイデンティティ（ＩＤ）に関連付けられる、確立することを含む。また、本方法は、第１のＵＥが、第１のＵＥのレイヤ２  ＩＤから導出された送信元レイヤ２  ＩＤとデフォルト宛先レイヤ２  ＩＤから導出された宛先レイヤ２  ＩＤを用いて、第１のサイドリンクＳＲＢ上でユニキャストリンクまたはＰＣ５−ＲＲＣ接続確立のための第１のＰＣ５−Ｓメッセージを送信することを含む。さらに、本方法は、第１のＵＥが、第２のＵＥから第２のＰＣ５−Ｓメッセージを受信することであって、第２のＰＣ５−Ｓメッセージは、第２のＵＥのレイヤ２  ＩＤから導出された送信元レイヤ２  ＩＤと第１のＵＥのレイヤ２  ＩＤから導出された宛先レイヤ２  ＩＤを用いて送信される、受信することを含む。追加的に、本方法は、第１のＵＥが、ＰＣ５−Ｓメッセージの受信および／または送信のための第２のサイドリンクＳＲＢを確立することであって、第２のサイドリンクＳＲＢは、第２のＵＥのレイヤ−２  ＩＤに関連付けられる、確立することを含む。さらに、本方法は、第１のＵＥが、ユニキャストリンクまたはＰＣ５−ＲＲＣ接続確立の完了に成功した場合、ＰＣ５−ＲＲＣメッセージ送信のための第３のサイドリンクＳＲＢを確立することであって、第３のサイドリンクＳＲＢは、第２のＵＥの前記レイヤ２  ＩＤに関連付けられる、確立することを含む。
【図面の簡単な説明】
【０００６】
【図１】１つの例示的な実施形態による、無線通信システムの図を示す。
【図２】１つの例示的な実施形態による、送信機システム（アクセスネットワークとしても知られる）および受信機システム（ユーザ機器またはＵＥとしても知られる）のブロック図である。
【図３】１つの例示的な実施形態による、通信システムの機能ブロック図である。
【図４】１つの例示的な実施形態による、図３のプログラムコードの機能ブロック図である。
【図５】３ＧＰＰ  ＴＳ  ２３．２８７  Ｖ１６．０．０の図５．２．１．４−１の複製である。
【図６】３ＧＰＰ  ＴＳ  ２３．２８７  Ｖ１６．０．０の図６．３．３．１−１の複製である。
【図７】３ＧＰＰ  ＴＳ  ３３．３０３  Ｖ１５．０．０の図６．５．５．２−１の複製である。
【図８】３ＧＰＰ  Ｒ２−１９１５９８３の図５．Ｘ．３．１−１の複製である。
【図９】３ＧＰＰ  Ｒ２−１９１６１２０の図６．１．ｘ−１の複製である。
【図１０】３ＧＰＰ  Ｒ２−１９１６１２０の図６．１．ｘ−２の複製である。
【図１１】１つの例示的な実施形態による図である。
【図１２】１つの例示的な実施形態によるフローチャートである。
【図１３】１つの例示的な実施形態によるフローチャートである。
【図１４】１つの例示的な実施形態によるフローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムが、符号分割多元接続（ＣＤＭＡ）、時間分割多元接続（ＴＤＭＡ）、直交周波数分割多元接続（ＯＦＤＭＡ）、３ＧＰＰ  ＬＴＥ（Ｌｏｎｇ  Ｔｅｒｍ  Ｅｖｏｌｕｔｉｏｎ）無線アクセス、３ＧＰＰ  ＬＴＥ−ＡもしくはＬＴＥ−Ａｄｖａｎｃｅｄ（Ｌｏｎｇ  Ｔｅｒｍ  Ｅｖｏｌｕｔｉｏｎ  Ａｄｖａｎｃｅｄ）、３ＧＰＰ２  ＵＭＢ（Ｕｌｔｒａ  Ｍｏｂｉｌｅ  Ｂｒｏａｄｂａｎｄ）、ＷｉＭａｘ、３ＧＰＰ  ＮＲ（Ｎｅｗ  Ｒａｄｉｏ）、またはその他何らかの変調技術に基づいてもよい。
【０００８】
特に、以下に説明する例示的な無線通信システムおよびデバイスが、本明細書において３ＧＰＰと呼ばれる「第３世代パートナーシッププロジェクト」という名称のコンソーシアムにより提示される標準などの１つ以上の標準をサポートするように設計されてもよく、その標準は、TS  23.287  V16.0.0,  “Architecture  enhancements  for  5G  System  (5GS)  to  support  Vehicle-to-Everything  (V2X)  services  (Release  16)”;  TS  33.303  V15.0.0,  “Proximity-based  Services  (ProSe);  Security  aspects  (Release  15);  R2-1915983,  “Running  CR  to  TS  38.331  for  5G  V2X  with  NR  Sidelink”,  Huawei,  HiSilicon;  R2-1916120,  “Running  CR  to  TS  38.321  for  5G  V2X  with  NR  Sidelink”,  LG  Electronics;  および  R2-1916288,  “Report  from  session  on  LTE  V2X  and  NR  V2X”,  Samsungを含む。上記に挙げた標準および文書は、参照によりその全体が本明細書に明示的に組み込まれる。
【０００９】
図１は、本発明の一実施形態に係る多重アクセス無線通信システムを示している。アクセスネットワーク１００（ＡＮ）は、複数のアンテナグループを含み、あるグループは１０４および１０６を含み、別のグループは１０８および１１０を含み、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、アクセスポイント、ノードＢ、基地局、拡張型基地局、進化型ノードＢ（ｅＮＢ）、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をディジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＮＲシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  ＴＳ  ２３．２８７は、ユニキャストモードに関するＶ２Ｘ  （Ｖｅｈｉｃｌｅ−ｔｏ−Ｅｖｅｒｙｔｉｎｇ）通信を以下のように規定している：
［外１］
0006983297.tif 000002
0006983297.tif 000003
0006983297.tif 000004
0006983297.tif 000005
［３ＧＰＰ  ＴＳ  ２３．２８７  Ｖ１６．０．０の図５．２．１．４−１であって、「Ｅｘａｍｐｌｅ  ｏｆ  ＰＣ５  Ｕｎｉｃａｓｔ  Ｌｉｎｋｓ」と題するものを図５として複製］
［外２］
0006983297.tif 000006
0006983297.tif 000007
0006983297.tif 000008
0006983297.tif 000009
0006983297.tif 000010
［３ＧＰＰ  ＴＳ  ２３．２８７  Ｖ１６．０．０の図６．３．３．１−１であって、「Ｌａｙｅｒ−２  ｌｉｎｋ  ｅｓｔａｂｌｉｓｈｍｅｎｔ  ｐｒｏｃｅｄｕｒｅ」と題するものを図６として複製］
［外３］
0006983297.tif 000011
0006983297.tif 000012
0006983297.tif 000013
0006983297.tif 000014
【００２６】
３ＧＰＰ  ＴＳ  ３３．３０３において、１対１サイドリンク通信（すなわち、ユニキャストモード通信）における直接リンクシグナリングおよび直接リンクユーザプレーントラフィックのためのセキュリティは以下のように規定されている：
［外４］
0006983297.tif 000015
0006983297.tif 000016
［３ＧＰＰ  ＴＳ  ３３．３０３  Ｖ１５．０．０の図６．５．５．２−１であって、「Ｓｅｃｕｒｉｔｙ  ｅｓｔａｂｌｉｓｈｍｅｎｔ  ａｔ  ｃｏｎｎｅｃｔｉｏｎ  ｓｅｔ−ｕｐ」と題するものを図７として複製］
［外５］
0006983297.tif 000017
0006983297.tif 000018
【００２７】
（３ＧＰＰ  Ｒ２−１９１５９８３でキャプチャされているように）ＮＲサイドリンクを伴う５Ｇ  Ｖ２ＸのためのＴＳ  ３８．３３１へのｒｕｎｎｎｉｎｇ  ＣＲは、ＮＲサイドリンク通信に関する手順を以下のように規定している：
［外６］
0006983297.tif 000019
［３ＧＰＰ  Ｒ２−１９１５９８３の図５．Ｘ．３．１−１であって、“Ｓｉｄｅｌｉｎｋ  ＵＥ  ｉｎｆｏｒｍａｔｉｏｎ  ｆｏｒ  ＮＲ  ｓｉｄｅｌｉｎｋ  ｃｏｍｍｕｎｉｃａｔｉｏｎ”と題するものを図８として複製］
［外７］
0006983297.tif 000020
0006983297.tif 000021
0006983297.tif 000022
0006983297.tif 000023
0006983297.tif 000024
0006983297.tif 000025
【００２８】
（３ＧＰＰ  Ｒ２−１９１６１２０でキャプチャされているように）ＮＲサイドリンクを伴う５Ｇ  Ｖ２ＸのためのＴＳ  ３８．３３１へのｒｕｎｎｎｉｎｇ  ＣＲは、ＮＲサイドリンク通信のためのＭＡＣ  ＰＤＵを以下のように規定している：
［外８］
0006983297.tif 000026
［３ＧＰＰ  Ｒ２−１９１６１２０の図６．１．ｘ−１であって、“ＳＬ−ＳＣＨ  ＭＡＣ  ｓｕｂｈｅａｄｅｒ”と題するものを図９として複製］
［外９］
0006983297.tif 000027
［３ＧＰＰ  Ｒ２−１９１６１２０の図６．１．ｘ−２であって、“Ｅｘａｍｐｌｅ  ｏｆ  ａ  ＳＬ  ＭＡＣ  ＰＤＵ”と題するものを図１０として複製］
［外１０］
0006983297.tif 000028
【００２９】
（３ＧＰＰ  Ｒ２−１９１６２８８でキャプチャされているように）ＮＲサイドリンク送信のための送信元ＩＤおよび宛先ＩＤ表示についての以下の合意が、ＲＡＮ２＃１０８ｍｅｅｔｉｎｇにおいてなされた。
［外１１］
0006983297.tif 000029
【００３０】
３ＧＰＰ  ＴＳ  ２３．２８７は、６．３．３．１項においてＰＣ５リファレンスポイント上のＶ２Ｘ通信のユニキャストモードのレイヤ２リンク確立手順を規定する。例えば、開始側ＵＥ（例えばＵＥ１）は、直接通信要求メッセージを送信し、他のＵＥから直接通信許可メッセージを受信する。３ＧＰＰ  ＴＳ  ２３．２８７の５．６．１．４項によれば、ＰＣ５ユニキャストリンクの確立のための初期シグナリングは、ＰＣ５ユニキャストリンクの確立のために設定されたサービスタイプ（例えば、ＰＳＩＤ／ＩＴＳ−ＡＩＤ）に関連付けられたデフォルト宛先レイヤ２  ＩＤを使用してもよい。
【００３１】
直接通信要求メッセージでは、ＵＥ２が直接通信要求メッセージに応答するかどうかを判定できるように、ＵＥ２のアプリケーションレイヤＩＤとＵＥ１のアプリケーションレイヤＩＤが含まれる。ＵＥ２が直接通信要求メッセージに応答すると判定した場合、ＵＥ２は、セキュリティコンテキストを確立するために使用される手順を初期化してもよい。サイドリンク接続セットアップまたはユニキャストリンク確立中にセキュリティコンテキストを確立するために使用されるセキュリティ設定手順は、３ＧＰＰ  ＴＳ  ３３．３０３で規定された。例えば、ＵＥ１は直接通信要求をＵＥ２に送信する。直接通信要求で、セキュリティコンテキストを確立するために使用されるいくつかのパラメータが含まれ得る。直接通信要求を受信すると、ＵＥ２は、セキュリティキーが存在しない場合、セキュリティキーを確立するために、任意選択で、ＵＥ１と直接認証（Ｄｉｒｅｃｔ  Ａｕｔｈ）およびキー確立（Ｋｅｙ  Ｅｓｔａｂｌｉｓｈ）手順を開始してもよい。次いで、ＵＥ２はセキュリティ機能を起動してもよい。例えば、ＵＥ２は直接セキュリティモードコマンドをＵＥ１に送信してもよく、ＵＥ１は直接セキュリティモード完了を用いてＵＥ２に応答する。追加的に、直接セキュリティモード完了の受信に成功した場合、ＵＥ２は、直接通信許可をＵＥ１に送信してもよい。ユニキャストリンクにセキュリティが必要でない場合、関連するセキュリティ手順は省略されてもよく、ＵＥ２は直接通信許可を直接ＵＥ１に返信してもよい。
【００３２】
直接通信要求メッセージが送信されるときに、送信元レイヤ２  ＩＤは、開始側ＵＥのレイヤ２  ＩＤから導出（または、これに設定）され、宛先レイヤ２  ＩＤは、サービスタイプに関連付けられたデフォルト宛先レイヤ２  ＩＤから導出（または、これに設定）される。次いで、ＵＥ２は、直接通信要求メッセージを受信した後に、ＵＥ１のレイヤ２  ＩＤとユニキャストリンクに割り当てられたＵＥ２のレイヤ２  ＩＤに基づいて、セキュリティ確立手順におけるシグナリングの交換を開始してもよい。
【００３３】
より具体的には、レイヤ２  ＩＤは２つの部分に分割され、一方の部分はレイヤ１シグナリングに示され、他方の部分はＭＡＣ  ＰＤＵのＭＡＣサブヘッダに含まれる。例えば、レイヤ１宛先ＩＤは宛先レイヤ２  ＩＤのＬＳＢ  １６ビットに対応し、レイヤ１送信元ＩＤは送信元レイヤ２  ＩＤのＬＳＢ  ８ビットに対応する。一方、ＭＡＣサブヘッダのＤＳＴフィールドは宛先レイヤ２  ＩＤのＭＳＢ  ８ビットを含み、ＭＡＣサブヘッダのＳＲＣフィールドは送信元レイヤ２  ＩＤのＭＳＢ  １６ビットを含む。
【００３４】
３ＧＰＰ  Ｒ２−１９１５９８３の９．１．１．Ｘ項は、ＰＣ５−ＲＲＣ（ＰＣ５−Ｒａｄｉｏ  Ｒｅｓｏｕｒｃｅ  Ｃｏｎｔｒｏｌ）メッセージおよびＰＣ５−Ｓメッセージを送信および受信するために使用されるＳＬ（Ｓｉｄｅｌｉｎｋ）ＳＲＢのＳＣＣＨ（Ｓｉｄｅｌｉｎｋ  Ｃｏｎｔｒｏｌ  Ｃｈａｎｎｅｌ）設定を規定し、各ＳＬ  ＳＲＢはＳＣＣＨに対応する。ＰＣ５−Ｓメッセージは上位レイヤのメッセージ（例えば、直接通信要求、直接通信許可、直接セキュリティモードコマンド、直接セキュリティモード完了など）であり、ＰＣ５−ＲＲＣメッセージはピアＵＥ間でＡＳ設定とＵＥ能力を交換するために使用される（例えば、ｒｒｃＲｅｃｏｎｆｉｇｕｒａｔｉｏｎＳｉｄｅｌｉｎｋ、ｒｒｃＲｅｃｏｎｆｉｇｕｒａｔｉｏｎＣｏｍｐｌｅｔｅＳｉｄｅｌｉｎｋ、ｒｒｃＲｅｃｏｎｆｉｇｕｒａｔｉｏｎＦａｉｌｕｒｅＳｉｄｅｌｉｎｋ、ｕｅＣａｐａｂｉｌｉｔｙＥｎｑｕｉｒｙＳｉｄｅｌｉｎｋ、ｕｅＣａｐａｂｉｌｉｔｙＩｎｆｏｒｍａｔｉｏｎＳｉｄｅｌｉｎｋなど）。
【００３５】
基本的に、ＲＲＣ＿ＩＤＬＥのＵＥは、サイドリンク送信のためにシステム情報で定義されたサイドリンクリソースプールからリソースを選択してもよく、一方、ＲＲＣ＿ＣＯＮＮＥＣＴＥＤのＵＥは、サイドリンクＵＥ情報メッセージ（例えば、ＳｉｄｅｌｉｎｋＵＥＩｎｆｏｒｍａｔｉｏｎＮＲ）をｇＮＢに送信して、サイドリンク送信のために専用のサイドリンクリソースを要求してもよい。
【００３６】
３ＧＰＰ  Ｒ２−１９１５９８３の５．ｘ．９．１．６項は、上位レイヤによって宛先に対するＰＣ５−ＲＲＣ接続確立が要求された場合、ＵＥはそれぞれＰＣ５−ＳメッセージとＰＣ５−ＲＲＣメッセージの両方に対して２つのＳＬ  ＳＲＢを確立するものとし、特定の宛先に対するＰＣ５−ＲＲＣ接続が確立されるとみなす。ここで、ＰＣ５−ＲＲＣ接続は送信元レイヤ２  ＩＤと宛先レイヤ２  ＩＤのペア間の論理接続であり、１つのＰＣ５−ＲＲＣ接続は１つのＰＣ５ユニキャストリンクに対応する。加えて、ＳＬ  ＳＲＢは、ＰＤＣＰ（Ｐａｃｋｅｔ  Ｄａｔａ  Ｃｏｎｖｅｒｇｅｎｃｅ  Ｐｒｏｔｏｃｏｌ）エンティティ、ＲＬＣ（Ｒａｄｉｏ  Ｌｉｎｋ  Ｃｏｎｔｒｏｌ）エンティティ、および論理チャネルに関連付けられてもよい。従って、ＳＬ  ＳＲＢは、送信元レイヤ２  ＩＤと宛先レイヤ２  ＩＤのペアに関連付けられてもよい。現在のところ、各宛先レイヤ２  ＩＤが一意であるかどうかは明確ではない。この場合、ＳＬ  ＳＲＢは宛先レイヤ２  ＩＤに関連付けられているとみなされる可能性がある。
【００３７】
ＰＣ５−ＲＲＣ接続はＰＣ５ユニキャストリンクに対応するため、ＲＲＣ接続の確立は関係するユニキャストリンクの確立を意味する。上述のように、ＵＥはユニキャストリンクを確立するためにＰＣ５−Ｓメッセージを交換する必要がある。したがって、ＰＣ５ユニキャストリンクまたはＰＣ５−ＲＲＣ接続確立手順が開始されるとき（または場合）（すなわち、ＰＣ５ユニキャストリンクが確立される前）に、ＰＣ５−Ｓメッセージ送信のためのデフォルト宛先レイヤ２  ＩＤに関連付けられた第１のＳＬ  ＳＲＢが確立される必要がある一方、ユニキャストリンク確立中に両方のＵＥがＰＣ５−ＲＲＣメッセージを交換する必要がないため、ＰＣ５ユニキャストリンク確立手順が開始されるときに、ＵＥはＰＣ５−ＲＲＣメッセージ送信のためのＳＬ  ＳＲＢを確立する必要がない。
【００３８】
さらに、ピアＵＥは、ＵＥからの第１のＰＣ５−Ｓメッセージ（例えば、直接通信要求）の受信に応答して、セキュリティ関連のＰＣ５−Ｓメッセージ（例えば、直接セキュリティモードコマンドメッセージ）をＵＥに送信する。ピアＵＥからセキュリティ関連のＰＣ５−Ｓメッセージのサイドリンク送信またはＭＡＣ  ＰＤＵを受信するときに、ＵＥは、サイドリンク送信またはＭＡＣ  ＰＤＵをさらに処理する、および／または別のセキュリティ関連のＰＣ５−Ｓメッセージ（例えば、直接セキュリティモード完了メッセージ）をピアＵＥに返信するために、ピアＵＥのレイヤ２  ＩＤに関連付けられた第２のＳＬ  ＳＲＢを確立する必要がある。追加的に、ピアＵＥからセキュリティ関連のＰＣ５−Ｓメッセージを受信するとき（または場合）に、ＵＥはまた、第１のＳＬ  ＳＲＢを解放してもよい。
【００３９】
一実施形態では、ＵＥは、ＰＣ５ユニキャストリンクまたはＰＣ５−ＲＲＣ接続の確立に成功したとき（または場合）に、ＰＣ５−ＲＲＣメッセージ送信のためにピアＵＥのレイヤ２  ＩＤに関連付けられた第３のサイドリンクＳＲＢを確立してもよい。代替的には、セキュリティ関連のＰＣ５−Ｓメッセージ（例えば、直接セキュリティモードコマンドメッセージ）がピアＵＥから受信されたとき（または場合）に、ＰＣ５−ＲＲＣメッセージ送信のためにピアＵＥのレイヤ２  ＩＤに関連付けられた第３のサイドリンクＳＲＢが確立されてもよい。直接通信許可メッセージがピアＵＥから受信されたとき（または場合）に、ＰＣ５ユニキャストリンクまたはＰＣ５−ＲＲＣ接続の確立に成功する。
【００４０】
ＰＣ５−Ｓメッセージ送信のための２つの別々のサイドリンクＳＲＢが存在する可能性があり、一方はセキュリティ保護を備えており、他方はセキュリティ保護を備えていない。また、一方のサイドリンクＳＲＢがセキュリティ保護を用いたＰＣ５−Ｓメッセージ送信に使用され、他方のサイドリンクＳＲＢがセキュリティ起動に使用される可能性もある。この場合、ＵＥは、ＰＣ５ユニキャストリンクまたはＰＣ５−ＲＲＣ接続の確立に成功したとき（または場合）に、保護されるＰＣ５−Ｓメッセージを送信するために、ピアＵＥのレイヤ２  ＩＤに関連付けられた第４のサイドリンクＳＲＢを確立してもよい。代替的には、第４のサイドリンクＳＲＢは、セキュリティ関連のＰＣ５−Ｓメッセージ（例えば、直接セキュリティモードコマンドメッセージ）がピアＵＥから受信されたとき（または場合）に、確立されてもよい。この場合、セキュリティ関連のＰＣ５−Ｓメッセージを送信するために第４のＳＬ  ＳＲＢは使用されなくてもよい。
【００４１】
ピアＵＥのレイヤ２  ＩＤに関連するＳＬ  ＳＲＢを確立するために、ＵＥは、サイドリンクＵＥ情報メッセージをｇＮＢに送信して、ピアＵＥのレイヤ２  ＩＤ宛サイドリンク送信のための専用リソースを要求してもよい。次いで、ｇＮＢはＲＲＣ再設定メッセージを応答して、専用リソースを設定してもよい。従って、ＵＥは、ｇＮＢからＲＲＣ再設定メッセージを受信したときに、第２のＳＬ  ＳＲＢまたは第３のサイドリンクＳＲＢを確立してもよい。
【００４２】
一実施形態では、サイドリンクＳＲＢを確立することは、ＰＤＣＰエンティティ、ＲＬＣエンティティ、サイドリンクＳＲＢに関連付けられた論理チャネルを確立することを含んでもよい。さらに、サイドリンクＳＲＢを解放することは、ＰＤＣＰエンティティ、ＲＬＣエンティティ、サイドリンクＳＲＢに関連付けられた論理チャネルを解放することを含んでもよい。また、ＰＣ５−Ｓメッセージ送信のためのデフォルト宛先レイヤ２  ＩＤに関連付けられた第１のＳＬ  ＳＲＢの論理チャネルは、ＵＭ  ＲＬＣエンティティを用いて設定されてもよく、ＰＣ５−Ｓメッセージ送信のためのピアＵＥのレイヤ２  ＩＤに関連付けられた第２のＳＬ  ＳＲＢの論理チャネルおよびＰＣ５−ＲＲＣメッセージ送信のためのピアＵＥのレイヤ２  ＩＤに関連付けられた第３のＳＬ  ＳＲＢの論理チャネルの各々は、ＡＭ（Ａｃｋｎｏｗｌｅｄｇｅｄ  Ｍｏｄｅ）ＲＬＣエンティティを用いて設定されてもよい。
【００４３】
図１１は、１つの例示的な実施形態による上述の解決策の一例を示す。
【００４４】
図１２は、ユニキャストリンクを確立するための第１のＵＥの観点からの、一例示的実施形態によるフローチャート１２００である。ステップ１２０５において、第１のＵＥは、ユニキャストリンクまたはＰＣ５−ＲＲＣ接続確立が開始された場合に、ＰＣ５−Ｓメッセージ送信のための第１のサイドリンクＳＲＢを確立し、第１のサイドリンクＳＲＢはデフォルト宛先レイヤ２  ＩＤに関連付けられる。ステップ１２１０において、第１のＵＥは、第１のＵＥのレイヤ２  ＩＤから導出された送信元レイヤ２のＩＤとデフォルト宛先レイヤ２のＩＤから導出された宛先レイヤ２のＩＤを用いて、第１のサイドリンクＳＲＢ上でユニキャストリンクまたはＰＣ５−ＲＲＣ接続確立のための第１のＰＣ５−Ｓメッセージを送信する。ステップ１２１５において、第１のＵＥは、第２のＵＥから第２のＰＣ５−Ｓメッセージを受信し、第２のＰＣ５−Ｓメッセージは、第２のＵＥのレイヤ２  ＩＤから導出された送信元レイヤ２  ＩＤと第１のＵＥの前記レイヤ２  ＩＤから導出された宛先レイヤ２  ＩＤを用いて送信される。ステップ１２２０において、第１のＵＥは、ＰＣ５−Ｓメッセージの受信および／または送信のための第２のサイドリンクＳＲＢを確立し、第２のサイドリンクＳＲＢは、第２のＵＥのレイヤ２  ＩＤに関連付けられる。ステップ１２２５において、第１のＵＥは、ユニキャストリンクまたはＰＣ５−ＲＲＣ接続確立の完了に成功した場合、ＰＣ５−ＲＲＣメッセージ送信のための第３のサイドリンクＳＲＢを確立し、第３のサイドリンクＳＲＢは、第２のＵＥのレイヤ２  ＩＤに関連付けられる。
【００４５】
一実施形態では、第１のＵＥは、保護されたＰＣ５−Ｓメッセージ送信のための第４のサイドリンクＳＲＢを確立することができ、第４のサイドリンクＳＲＢは、第２のＵＥのレイヤ２  ＩＤに関連付けられる。第１のＵＥは、ユニキャストリンクまたはＰＣ５−ＲＲＣ接続の確立が成功する前に、ＰＣ５−ＲＲＣメッセージ送信のためのいかなるサイドリンクＳＲＢを確立しなくてもよい。
【００４６】
一実施形態では、第２のサイドリンクＳＲＢは、第１のＵＥの物理レイヤによる第２のＰＣ５−Ｓメッセージの受信に応答して確立され得る。第１のサイドリンクＳＲＢおよび第２のサイドリンクＳＲＢを確立するために、ＲＲＣ仕様に規定された第１のＳＣＣＨ（Ｓｉｄｅｌｉｎｋ  Ｃｏｎｔｒｏｌ  Ｃｈａｎｎｅｌ）設定が使用され得る。第３のサイドリンクＳＲＢを確立するために、ＲＲＣ仕様に規定された第２のＳＣＣＨ（Ｓｉｄｅｌｉｎｋ  Ｃｏｎｔｒｏｌ  Ｃｈａｎｎｅｌ）設定が使用され得る。
【００４７】
一実施形態では、デフォルト宛先レイヤ２  ＩＤは、ユニキャストリンクまたはＰＣ５−ＲＲＣ接続が確立されるサイドリンクサービスに関連付けられ得る。第１のＰＣ５−Ｓメッセージは直接通信要求であり得る。第２のＰＣ５−Ｓメッセージはセキュリティ関連メッセージであり得る。
【００４８】
一実施形態では、各サイドリンクＳＲＢはＳＣＣＨ（Ｓｉｄｅｌｉｎｋ  Ｃｏｎｔｒｏｌ  Ｃｈａｎｎｅｌ）に対応し得る。
【００４９】
図３および図４に戻って参照すると、ユニキャストリンクを確立するための第１のＵＥの１つの例示的な実施形態である。第１のＵＥ３００は、メモリ３１０に記憶されたプログラムコード３１２を含む。ＣＰＵ３０８は、プログラムコード３１２を実行して、第１のＵＥが、（ｉ）ユニキャストリンクまたはＰＣ５−ＲＲＣ接続確立が開始された場合に、ＰＣ５−Ｓメッセージ送信のための第１のサイドリンクＳＲＢを確立することであって、第１のサイドリンクＳＲＢはデフォルト宛先レイヤ２  ＩＤに関連付けられる、ことと、（ｉｉ）第１のＵＥのレイヤ２  ＩＤから導出された送信元レイヤ２のＩＤとデフォルト宛先レイヤ２のＩＤから導出された宛先レイヤ２のＩＤを用いて、第１のサイドリンクＳＲＢ上でユニキャストリンクまたはＰＣ５−ＲＲＣ接続確立のための第１のＰＣ５−Ｓメッセージを送信することと、（ｉｉｉ）第２のＵＥから第２のＰＣ５−Ｓメッセージを受信することであって、第２のＰＣ５−Ｓメッセージは、第２のＵＥのレイヤ２  ＩＤから導出された送信元レイヤ２  ＩＤと第１のＵＥの前記レイヤ２  ＩＤから導出された宛先レイヤ２  ＩＤを用いて送信される、ことと、（ｉｖ）ＰＣ５−Ｓメッセージの受信および／または送信のための第２のサイドリンクＳＲＢを確立することであって、第２のサイドリンクＳＲＢは、第２のＵＥのレイヤ２  ＩＤに関連付けられる、ことと、（ｖ）ユニキャストリンクまたはＰＣ５−ＲＲＣ接続確立の完了に成功した場合、ＰＣ５−ＲＲＣメッセージ送信のための第３のサイドリンクＳＲＢを確立することであって、第３のサイドリンクＳＲＢは、第２のＵＥのレイヤ２  ＩＤに関連付けられる、ことと、を行うことを可能にすることができる。さらに、ＣＰＵ３０８は、プログラムコード３１２を実行して、本明細書に記載の上述のアクションおよびステップまたは他のすべてを行うことができる。
【００５０】
図１３は、ユニキャストリンクを確立するための第１のＵＥの観点からの、１つの例示的な実施形態によるフローチャート１３００である。ステップ１３０５において、第１のＵＥは、ユニキャストリンクまたはＰＣ５−ＲＲＣ接続確立が開始された場合、ＰＣ５−Ｓメッセージ送信のための第１のサイドリンクＳＲＢを確立し、第１のサイドリンクＳＲＢはデフォルト宛先レイヤ２  ＩＤに関連付けられる。ステップ１３１０において、第１のＵＥは、第１のＵＥのレイヤ２  ＩＤから導出された送信元レイヤ２のＩＤとデフォルト宛先レイヤ２のＩＤから導出された宛先レイヤ２のＩＤを用いて、第１のサイドリンクＳＲＢ上でユニキャストリンクまたはＰＣ５−ＲＲＣ接続確立のための第１のＰＣ５−Ｓメッセージを送信する。ステップ１３１５において、第１のＵＥは、第２のＵＥから第２のＰＣ５−Ｓメッセージを含むサイドリンクＭＡＣ  ＰＤＵを受信し、サイドリンクＭＡＣ  ＰＤＵは、第２のＵＥのレイヤ２  ＩＤから導出された送信元レイヤ２のＩＤと第１のＵＥのレイヤ２のＩＤから導出された宛先レイヤ２のＩＤを用いて送信される。ステップ１３２０において、第１のＵＥは、ＰＣ５−Ｓメッセージの受信および／または送信のための第２のサイドリンクＳＲＢを確立し、第２のサイドリンクＳＲＢは第２のＵＥのレイヤ２  ＩＤに関連付けられる。
【００５１】
一実施形態では、第１のＵＥは、第２のＰＣ５−Ｓメッセージが第２のＵＥから受信された場合、ＰＣ５−ＲＲＣメッセージ送信のための第３のサイドリンクＳＲＢを確立することができ、第３のサイドリンクＳＲＢは第２のＵＥのレイヤ２  ＩＤに関連付けられる。また、第１のＵＥは、ユニキャストリンクまたはＰＣ５−ＲＲＣ接続確立の完了に成功した場合、ＰＣ５−ＲＲＣメッセージ送信のための第３のサイドリンクＳＲＢを確立することができ、第３のサイドリンクＳＲＢは、第２のＵＥのレイヤ２  ＩＤに関連付けられる。
【００５２】
図３および図４に戻って参照すると、ユニキャストリンクを確立するための第１のＵＥの１つの例示的な実施形態である。第１のＵＥ３００は、メモリ３１０に記憶されたプログラムコード３１２を含む。ＣＰＵ３０８は、プログラムコード３１２を実行して、第１のＵＥが、（ｉ）  ユニキャストリンクまたはＰＣ５−ＲＲＣ接続確立が開始された場合、ＰＣ５−Ｓメッセージ送信のための第１のサイドリンクＳＲＢを確立することであって、第１のサイドリンクＳＲＢはデフォルト宛先レイヤ２  ＩＤに関連付けられる、ことと、（ｉｉ）  第１のＵＥのレイヤ２  ＩＤから導出された送信元レイヤ２のＩＤとデフォルト宛先レイヤ２のＩＤから導出された宛先レイヤ２のＩＤを用いて、第１のサイドリンクＳＲＢ上でユニキャストリンクまたはＰＣ５−ＲＲＣ接続確立のための第１のＰＣ５−Ｓメッセージを送信することと、（ｉｉｉ）  第２のＵＥから第２のＰＣ５−Ｓメッセージを含むサイドリンクＭＡＣ  ＰＤＵを受信することであって、サイドリンクＭＡＣ  ＰＤＵは、第２のＵＥのレイヤ２  ＩＤから導出された送信元レイヤ２のＩＤと第１のＵＥのレイヤ２のＩＤから導出された宛先レイヤ２のＩＤを用いて送信される、ことと、（ｉｖ）  ＰＣ５−Ｓメッセージの受信および／または送信のための第２のサイドリンクＳＲＢを確立することであって、第２のサイドリンクＳＲＢは第２のＵＥのレイヤ２  ＩＤに関連付けられる、ことと、を行うことを可能にすることができる。さらに、ＣＰＵ３０８は、プログラムコード３１２を実行して、本明細書に記載の上述のアクションおよびステップまたは他のすべてを行うことができる。
【００５３】
図１４は、ユニキャストリンクを確立するための第１のＵＥの観点からの、１つの例示的な実施形態によるフローチャート１４００である。ステップ１４０５において、第１のＵＥは、ユニキャストリンクまたはＰＣ５−ＲＲＣ接続確立が開始された場合、ＰＣ５−Ｓメッセージ送信のための第１のサイドリンクＳＲＢを確立し、第１のサイドリンクＳＲＢは、第１のＵＥのレイヤ２  ＩＤとデフォルト宛先レイヤ２  ＩＤの送信元レイヤ２  ＩＤと宛先レイヤ２  ＩＤペアに関連付けられる。ステップ１４１０において、第１のＵＥは、第１のＵＥのレイヤ２  ＩＤから導出された送信元レイヤ２のＩＤとデフォルト宛先レイヤ２のＩＤから導出された宛先レイヤ２のＩＤを用いて、第１のサイドリンクＳＲＢ上でユニキャストリンクまたはＰＣ５−ＲＲＣ接続確立のための第１のＰＣ５−Ｓメッセージを送信する。ステップ１４１５において、第１のＵＥは、第２のＵＥから第２のＰＣ５−Ｓメッセージを含むサイドリンクＭＡＣ  ＰＤＵを受信し、サイドリンクＭＡＣ  ＰＤＵは、第２のＵＥのレイヤ２  ＩＤから導出された送信元レイヤ２のＩＤと第１のＵＥのレイヤ２のＩＤから導出された宛先レイヤ２のＩＤを用いて送信される。ステップ１４２０において、第１のＵＥは、ＰＣ５−Ｓメッセージの受信および／または送信のための第２のサイドリンクＳＲＢを確立し、第２のサイドリンクＳＲＢは、第１のＵＥのレイヤ２  ＩＤと第２のＵＥのレイヤ２  ＩＤの送信元レイヤ２  ＩＤと宛先レイヤ２  ＩＤペアに関連付けられる。
【００５４】
一実施形態では、第１のＵＥは、第２のＰＣ５−Ｓメッセージが第２のＵＥから受信された場合、ＰＣ５−ＲＲＣメッセージ送信のための第３のサイドリンクＳＲＢを確立することができ、第３のサイドリンクＳＲＢは、第１のＵＥのレイヤ２  ＩＤと第２のＵＥのレイヤ２  ＩＤの送信元レイヤ２  ＩＤと宛先レイヤ２  ＩＤペアに関連付けられる。また、第１のＵＥは、ユニキャストリンクまたはＰＣ５−ＲＲＣ接続の確立に成功した場合、ＰＣ５−ＲＲＣメッセージ送信のための第３のサイドリンクＳＲＢを確立することができ、第３のサイドリンクＳＲＢは、第１のＵＥのレイヤ２  ＩＤと第２のＵＥのレイヤ２  ＩＤの送信元レイヤ２  ＩＤと宛先レイヤ２  ＩＤペアに関連付けられる。
【００５５】
図３および図４に戻って参照すると、ユニキャストリンクを確立するための第１のＵＥの１つの例示的な実施形態である。第１のＵＥ３００は、メモリ３１０に記憶されたプログラムコード３１２を含む。ＣＰＵ３０８は、第１のＵＥが、（ｉ）  ユニキャストリンクまたはＰＣ５−ＲＲＣ接続確立が開始された場合、ＰＣ５−Ｓメッセージ送信のための第１のサイドリンクＳＲＢを確立することであって、第１のサイドリンクＳＲＢは、第１のＵＥのレイヤ２  ＩＤとデフォルト宛先レイヤ２  ＩＤの送信元レイヤ２  ＩＤと宛先レイヤ２  ＩＤペアに関連付けられる、ことと、（ｉｉ）第１のＵＥのレイヤ２  ＩＤから導出された送信元レイヤ２のＩＤとデフォルト宛先レイヤ２のＩＤから導出された宛先レイヤ２のＩＤを用いて、第１のサイドリンクＳＲＢ上でユニキャストリンクまたはＰＣ５−ＲＲＣ接続確立のための第１のＰＣ５−Ｓメッセージを送信することと、（ｉｉｉ）第２のＵＥから第２のＰＣ５−Ｓメッセージを含むサイドリンクＭＡＣ  ＰＤＵを受信することであって、サイドリンクＭＡＣ  ＰＤＵは、第２のＵＥのレイヤ２  ＩＤから導出された送信元レイヤ２のＩＤと第１のＵＥのレイヤ２のＩＤから導出された宛先レイヤ２のＩＤを用いて送信される、ことと、（ｉｖ）Ｃ５−Ｓメッセージの受信および／または送信のための第２のサイドリンクＳＲＢを確立することであって、第２のサイドリンクＳＲＢは、第１のＵＥのレイヤ２  ＩＤと第２のＵＥのレイヤ２  ＩＤの送信元レイヤ２  ＩＤと宛先レイヤ２  ＩＤペアに関連付けられる、こととを行うことを可能にすることができる。さらに、ＣＰＵ３０８は、プログラムコード３１２を実行して、本明細書に記載の上述のアクションおよびステップまたは他のすべてを行うことができる。
【００５６】
図１３〜１４に示され、かつ上述した実施形態に関連して、一実施形態では、第１のＵＥは、ユニキャストリンクまたはＰＣ５−ＲＲＣ接続確立が開始された場合、ＰＣ５−ＲＲＣメッセージ送信のためのいかなるサイドリンクＳＲＢを確立しなくてもよい。さらに、第１のＵＥは、第２のＰＣ５−Ｓメッセージを含むサイドリンクＭＡＣ  ＰＤＵが第２のＵＥから受信された場合、第１のサイドリンクＳＲＢを解放することができる。
【００５７】
一実施形態では、第１のサイドリンクＳＲＢおよび第２のサイドリンクＳＲＢを確立するために、ＲＲＣ仕様に規定された第１のＳＣＣＨ設定が使用され得る。さらに、第３のサイドリンクＳＲＢを確立するために、ＲＲＣ仕様に規定された第２のＳＣＣＨ設定が使用され得る。
【００５８】
一実施形態では、デフォルト宛先レイヤ２  ＩＤは、ユニキャストリンクまたはＰＣ５−ＲＲＣ接続が確立されるサイドリンクサービスに関連付けられ得る。第１のＰＣ５−Ｓメッセージは直接通信要求であり得る。第２のＰＣ５−Ｓ  メッセージはセキュリティ関連のメッセージ（例えば、Ｄｉｒｅｃｔ  Ａｕｔｈ  ａｎｄ  Ｋｅｙ  Ｅｓｔａｂｌｉｓｈ  またはＤｉｒｅｃｔ  Ｓｅｃｕｒｉｔｙ  Ｍｏｄｅ  Ｃｏｍｍａｎｄ）であり得る。
【００５９】
一実施形態では、各サイドリンクＳＲＢはＳＣＣＨ（Ｓｉｄｅｌｉｎｋ  Ｃｏｎｔｒｏｌ  Ｃｈａｎｎｅｌ）に対応し得る。
【００６０】
以上、本開示の種々の態様を説明した。当然のことながら、本明細書の教示内容を多種多様な形態で具現化することができ、本明細書に開示したいかなる指定の構造、機能、または両者も代表的なものに過ぎない。本明細書の教示内容に基づいて、当業者には当然のことながら、本明細書に開示した態様を、他のいかなる態様からも独立に実装することができ、これら態様のうちの２つ以上を種々組み合わせることができる。例えば、本明細書に記載した態様のうちの任意の数の態様を用いて、装置を実装することができ、方法を実現することができる。追加的に、本明細書に記載した態様のうちの１つ以上の追加または代替で、他の構造、機能、または構造と機能を用いて、このような装置を実装することができ、このような方法を実現することができる。上記概念の一部の一例として、いくつかの態様においては、パルス繰り返し周波数に基づいて、同時チャネルを確立することができる。いくつかの態様においては、パルス位置またはオフセットに基づいて、同時チャネルを確立することができる。いくつかの態様においては、時間ホッピングシーケンスに基づいて、同時チャネルを確立することができる。いくつかの態様においては、パルス繰り返し周波数、パルス位置またはオフセット、および時間ホッピングシーケンスに基づいて同時チャネルを確立することができる。
【００６１】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【００６２】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【００６３】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【００６４】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【００６５】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【００６６】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
0006983297.tif 000030
【図２】
0006983297.tif 000031
【図３】
0006983297.tif 000032
【図４】
0006983297.tif 000033
【図５】
0006983297.tif 000034
【図６】
0006983297.tif 000035
【図７】
0006983297.tif 000036
【図８】
0006983297.tif 000037
【図９】
0006983297.tif 000038
【図１０】
0006983297.tif 000039
【図１１】
0006983297.tif 000040
【図１２】
0006983297.tif 000041
【図１３】
0006983297.tif 000042
【図１４】
0006983297.tif 000043